(57)【要約】【課題】録画したＨＤコンテンツを残したまま、簡単な処理で安定したデジタル放送コンテンツを携帯端末などの他の機器で視聴可能なようにムーブできるデジタル放送記録装置を提供する。【解決手段】受信部２はワンセグ部分も含む１３セグメント分の地上デジタル放送を受信して復調し、コンテンツ管理部３は受信した地上デジタル放送のコピー制御情報を、ワンセグ放送コンテンツと他のセグメント部分のコンテンツとで区別して管理し、記録部４はワンセグ放送コンテンツを他のセグメント部分のコンテンツとともに記録し、制御部５はワンセグ放送コンテンツまたは他のセグメント部分のコンテンツの一方をムーブする際には、その一方に割り当てられたコピー制御情報のみを変更する。【選択図】図１
2009038690.tif 000002
【特許請求の範囲】
【請求項１】
地上デジタル放送を記録するデジタル放送記録装置において、
１３セグメント分の地上デジタル放送を受信して復調する受信部と、
受信した前記地上デジタル放送においてコピー制御情報を、ワンセグ放送コンテンツと他のセグメント部分のコンテンツとで区別して管理するコンテンツ管理部と、
前記ワンセグ放送コンテンツを前記他のセグメント部分のコンテンツとともに記録する記録部と、
前記ワンセグ放送コンテンツまたは前記他のセグメント部分のコンテンツの一方をムーブする際には、前記一方に割り当てられた前記コピー制御情報のみを変更する制御部と、
を有することを特徴とするデジタル放送記録装置。
【請求項２】
前記制御部は、前記ワンセグ放送コンテンツのムーブ要求の際に、当該ワンセグ放送コンテンツに割り当てられた前記コピー制御情報がムーブ許可を示す場合のみに、前記記録部に記録された当該ワンセグ放送コンテンツをムーブし、当該コピー制御情報をムーブ不可に変更することを特徴とする請求項１記載のデジタル放送記録装置。
【請求項３】
前記他のセグメント部分のコンテンツは、１つのＨＤコンテンツであることを特徴とする請求項１または２記載のデジタル放送記録装置。
【請求項４】
前記他のセグメント部分のコンテンツは、最大３つのＳＤコンテンツからなり、前記コンテンツ管理部は、前記ワンセグ放送コンテンツと、前記ＳＤコンテンツごとに前記コピー制御情報を管理し、前記制御部は、前記ワンセグ放送コンテンツと、前記ＳＤコンテンツごとに前記コピー制御情報を変更することを特徴とする請求項１乃至３の何れか１項に記載のデジタル放送記録装置。
【請求項５】
地上デジタル放送を記録するデジタル放送記録方法において、
受信部は、１３セグメント分の地上デジタル放送を受信して復調し、
コンテンツ管理部は、受信した前記地上デジタル放送においてコピー制御情報を、ワンセグ放送コンテンツと他のセグメント部分のコンテンツとで区別して管理し、
記録部は、前記ワンセグ放送コンテンツを前記他のセグメント部分のコンテンツとともに記録し、
制御部は、前記ワンセグ放送コンテンツまたは前記他のセグメント部分のコンテンツの一方をムーブする際には、前記一方に割り当てられた前記コピー制御情報のみを変更することを特徴とするデジタル放送記録方法。
【発明の詳細な説明】
【技術分野】
【０００１】
本発明はデジタル放送記録装置及びデジタル放送記録方法に関し、特に、記録した地上デジタル放送のコンテンツを携帯端末などにムーブする機能を有したデジタル放送記録装置及びデジタル放送記録方法に関する。
【背景技術】
【０００２】
地上デジタル放送への移行推進（２０１１年７月にアナログ放送は、停波予定）に伴い、いわゆる「デジタル家電（ハードディスクレコーダなど）」の売れ行きが好調である。
また、地上デジタル放送の帯域（１３セグメント）のうち、１セグメントを使用した放送（ワンセグ放送）が注目されており、この放送を受信できるワンセグ対応携帯端末（携帯電話、ポータブルプレイヤーなど）が普及している。
【０００３】
ところで、デジタル放送を録画する場合、コンテンツデータを劣化させることなくコピーできるため、規格によるコピー制御が必須となっている。コピー制御には、「コピー可（コピー自由）」、「コピー禁止」、そして、放送されたコンテンツをレコーダに記録した時点を１回目のコピーと考える「コピーワンス」の方式が定められている。
【０００４】
コピーワンスでは、一旦録画したコンテンツをコピーすることはできないが、録画した機器とは別の機器で再生するために、その機器への移動または光学媒体（光ディスク）への移動のみが認められている。これを「ムーブ」という。ムーブされたコンテンツは、元の機器からは消去される。
【０００５】
ムーブの際、画像サイズやクオリティは保証されない。すなわち、ハイビジョンといわれる大画面・高画質な動画像データ（以下ＨＤ（High Definition）コンテンツという）を録画したとしても、ムーブ先が携帯端末のような場合、サイズが小さくクオリティも低い画像しか残すことはできない。すなわち、ハイビジョン画像は失われてしまう。
【０００６】
このような問題を解決するために、たとえば、特許文献１には、コピーワンスであっても、制約情報によって許可されていれば携帯端末などへのムーブの際には、ハードディスクに記録されたＨＤコンテンツを残したまま、再圧縮したコンテンツをムーブするようにした記録再生装置が開示されている。
【特許文献１】特開２００６−２９５３４４号公報
【発明の開示】
【発明が解決しようとする課題】
【０００７】
しかしながら、特許文献１のような方法では、コピー制御情報の他に、再圧縮に関する制約情報を設けて、携帯端末などへのムーブの際に、ＨＤコンテンツを制約情報で規定された圧縮方式や画質や音質で再圧縮するなどの処理を行う必要があった。
【０００８】
一方、携帯端末それ自身でワンセグ放送を受信する場合、アンテナや受信場所などの関係で、常時安定した受信が可能であるとはいえない。たとえば、電波が弱かったり、電波は届くが途切れ途切れになってしまうなど、受信状態が悪くなれば、安定した受信は望めず、映像や音声が途切れたり止まったままになる。しかし、携帯性や移動性を売りとする携帯端末を、受信状況の良いところに固定したままで録画させたり、あるいは、自宅など安定した受信環境のあるところに、携帯端末を追加することはコストアップになる。
【０００９】
本発明はこのような点に鑑みてなされたものであり、録画したＨＤコンテンツを残したまま、簡単な処理で安定したデジタル放送コンテンツを携帯端末などの他の機器で視聴可能なようにムーブできるデジタル放送記録装置及びデジタル放送記録方法を提供することを目的とする。
【課題を解決するための手段】
【００１０】
本発明者は、１３セグメント分の地上デジタル放送を受信して復調する受信部と、受信した前記地上デジタル放送においてコピー制御情報を、ワンセグ放送コンテンツと他のセグメント部分のコンテンツとで区別して管理するコンテンツ管理部と、前記ワンセグ放送コンテンツを前記他のセグメント部分のコンテンツとともに記録する記録部と、前記ワンセグ放送コンテンツまたは前記他のセグメント部分のコンテンツの一方をムーブする際には、前記一方に割り当てられた前記コピー制御情報のみを変更する制御部と、を有することを特徴とするデジタル放送記録装置を提案する。
【００１１】
上記の構成によれば、受信部はワンセグ部分も含む１３セグメント分の地上デジタル放送を受信して復調し、コンテンツ管理部は受信した地上デジタル放送のコピー制御情報を、ワンセグ放送コンテンツと他のセグメント部分のコンテンツとで区別して管理し、記録部はワンセグ放送コンテンツを他のセグメント部分のコンテンツとともに記録し、制御部はワンセグ放送コンテンツまたは他のセグメント部分のコンテンツの一方をムーブする際には、その一方に割り当てられたコピー制御情報のみを変更する。
【発明の効果】
【００１２】
本発明によれば、ワンセグ部分も含めて地上デジタル放送を録画し、携帯端末などへのムーブの際には、他のセグメントのコンテンツ（ＨＤコンテンツなど）のコピー制御情報はそのままにして、ムーブするワンセグ放送コンテンツのコピー制御情報のみを変更し、ワンセグ放送コンテンツをムーブしてやればよいので、録画したＨＤコンテンツを残したまま、安定したデジタル放送コンテンツ（ワンセグ放送コンテンツ）を携帯端末などで簡単に視聴できる。
【発明を実施するための最良の形態】
【００１３】
以下、本発明の実施の形態を図面を参照して詳細に説明する。
図１は、本実施の形態のデジタル放送記録装置のブロック図である。
デジタル放送記録装置１は、受信部２、コンテンツ管理部３、記録部４、制御部５、ユーザＩ／Ｆ（インターフェース）６、入出力Ｉ／Ｆ７を有している。
【００１４】
受信部２は、アンテナ２ａと接続されており、地上デジタル放送を受信可能なチューナと、ＯＦＤＭ（Orthogonal Frequency Division Multiplexing）信号を復調する復調機能などを有している。
【００１５】
コンテンツ管理部３は、たとえば、フラッシュメモリなどであり、受信した地上デジタル放送においてコピー制御情報を、ワンセグ放送コンテンツと他のセグメント部分のコンテンツ（ＨＤコンテンツなど）とで区別して管理する。
【００１６】
図２は、コンテンツ管理部が管理するコンテンツ管理情報の例である。
コンテンツＩＤが割り当てられたコンテンツに対して、ワンセグ部分（コンテンツ０）と、その他のセグメント部分（ＨＤコンテンツ（コンテンツ１））で、それぞれ区別して各種情報が割り当てられている。たとえば、図２のように、コピー制御情報として、視聴及びムーブを許可するか否かを示す視聴／ムーブフラグや、そのコンテンツのＴＳパケットを識別するためのＰＩＤ（パケット識別子）リスト、番組情報（番組内容や、出演者など）などを管理する。
【００１７】
記録部４は、たとえば、ハードディスクであり、ワンセグ放送コンテンツを他のセグメント部分のコンテンツとともに記録する。
制御部５は、デジタル放送記録装置１の各部を制御する。詳細は後述するが、コンテンツ管理部３で管理されているコピー制御情報を、ムーブの際に変更する処理などを行う。
【００１８】
ユーザＩ／Ｆ６は、リモートコントローラ（以下リモコンと略す。）から操作信号を受信するリモコン信号受信部や、ユーザからの入力を受け付ける操作パネルなどである。
入出力Ｉ／Ｆ７は、携帯端末１０へのムーブの際などにコンテンツの転送などを行うインターフェースであり、たとえば、ＵＳＢ（Universal Serial Bus）インターフェースなどである。
【００１９】
携帯端末１０は、ワンセグ放送が視聴可能な携帯電話やポータブルプレイヤーなどである。
デジタル放送記録装置１は、この他に、ＤＶＤなどの光ディスクや、ＳＤ（Secure Digital）メモリカードにコンテンツを記録するための記録部や、それらの記録メディアにコンテンツを記録する際に圧縮する機能を有していてもよい。また、コンテンツの再生機能を有していてもよい。
【００２０】
また、地上デジタル放送以外にも、ＢＳ（Broadcasting Satellite）デジタル放送やＣＳ（Communications Satellite）デジタル放送などを受信し、記録する機能を有するようにしてもよい。
【００２１】
以下、本実施の形態のデジタル放送記録装置１の動作を説明する。
まず、地上デジタル放送コンテンツの記録動作を説明する。
図３は、コンテンツの記録動作を示すフローチャートである。
【００２２】
ユーザのリモコン操作などにより、ユーザＩ／Ｆ６から、所望の番組の録画を要求する旨の信号が入力されると（ステップＳ１）、その信号は、制御部５に伝送される。制御部５は、受信部２を制御して、指定されたチャネルの受信及び復調を実行させる（ステップＳ２）。このとき、受信部２は、指定されたチャネルの放送波を、１３セグメント分（約５．６ＭＨｚ幅）を受信してＯＦＤＭ復調する。これによって、受信部２からはＴＳパケットが出力される。
【００２３】
図４は、ＴＳパケットの流れを示す図である。
地上デジタル放送のコンテンツは、ＴＳパケット単位で、時分割で混合されて送られてくる。
【００２４】
各ＴＳパケットは、ＰＩＤを含み、コンテナ部分にはたとえば、ＭＰＥＧ（Moving Picture Experts Group）−２形式で圧縮符号化された音声データ、映像データや番組情報などが含まれる。同じＰＩＤは、同じコンテンツの映像データや音声データなどを示す。
【００２５】
制御部５は、ＴＳパケットを解析し（ステップＳ３）、ＰＩＤから同じコンテンツを特定する。そして、コンテンツＩＤを割り当て、番組情報などをもとに、図２で示したようなコンテンツ管理情報を作成し、コンテンツ管理部３に記録する（ステップＳ４）。このとき、制御部５は、同じコンテンツでも、図２のようにワンセグ放送コンテンツを“コンテンツ０”、ＨＤコンテンツを“コンテンツ１”などと区別したコンテンツ管理情報を作成する。また、それぞれの視聴／ムーブフラグを“可”にする。その後、ワンセグ放送コンテンツと、ＨＤコンテンツをともに、記録部４に記録する（ステップＳ５）。
【００２６】
次に、携帯端末１０にコンテンツをムーブする際のデジタル放送記録装置の動作を説明する。
図５は、コンテンツのムーブ動作を示すフローチャートである。
【００２７】
たとえば、デジタル放送記録装置１の入出力Ｉ／Ｆ７に、携帯端末１０が接続され、ユーザより所望のコンテンツが指定されて、ムーブ要求が入出力Ｉ／Ｆ７またはユーザＩ／Ｆ６から入力されると（ステップＳ１０）、制御部５は、コンテンツ管理部３を探索し、指定されたコンテンツ（ムーブ対象コンテンツ）に対応するコンテンツＩＤのコンテンツ管理情報を取得する（ステップＳ１１）。
【００２８】
制御部５は、ムーブ対象コンテンツのコンテンツ管理情報の視聴／ムーブフラグを確認し（ステップＳ１２）、“不可”となっている場合には、ムーブが許可されていないので、たとえば、その旨を図示しない表示部または、入出力Ｉ／Ｆ７を介して携帯端末１０のディスプレイに表示させ、ムーブ処理を終了する。
【００２９】
視聴／ムーブフラグが“可”の場合には、制御部５は、コンテンツ管理情報よりワンセグ部分のＰＩＤリストを取得する（ステップＳ１３）。そして、ＰＩＤリストに対応するワンセグ放送コンテンツ（ＴＳパケット）を記録部４から抽出して、取得したＰＩＤリストとともに、入出力Ｉ／Ｆ７を介して携帯端末１０に転送する（ステップＳ１４）。その後、制御部５は、コンテンツ管理情報を更新させる。具体的には、ムーブしたワンセグ放送コンテンツに割り当てられたコンテンツ管理情報の視聴／ムーブフラグを“不可”にする（ステップＳ１５）。これにより、ムーブしたワンセグ放送コンテンツに対して、以降の視聴と、ムーブとを禁止できる。このとき、視聴／ムーブフラグを変更するのは、ワンセグ放送コンテンツのみで、同じコンテンツでもＨＤコンテンツのコンテンツ管理情報の視聴／ムーブフラグは変更しない。そのため、ＨＤコンテンツは引き続き視聴及びムーブが可能である。すなわち、ユーザは、携帯端末１０にワンセグ放送コンテンツをムーブした後でも、引き続き同じ内容のコンテンツを、大画面・高画質で楽しむことができる。
【００３０】
ワンセグ放送コンテンツと、そのＰＩＤリストを受信したワンセグ対応の携帯端末１０は、ＰＩＤリストをもとにデコードすることで、特段な処理をせずにワンセグ放送コンテンツを視聴できる。携帯端末１０にムーブされたワンセグ放送コンテンツは、一般的に、携帯端末１０よりも安定な受信状態にあるデジタル放送記録装置１により録画されたものであるので、ユーザは安定な画像で番組を視聴できる。
【００３１】
なお、上記の説明において、コンテンツ管理部３は、フラッシュメモリなどで実現可能としたが、ハードディスクなどである記録部４内に設けるようにしてもよい。すなわち、図２のようなコンテンツ管理情報を記録部４に記録するようにしてもよい。その場合、高速にコンテンツ管理情報にアクセスするために、制御部５の内部で、ユーザが直接指定する番組名（番組番号）などとコンテンツ管理情報におけるコンテンツＩＤとの対応関係を管理しておくことが望ましい。
【００３２】
また、上記では、ワンセグ部分以外のセグメントは、１つのＨＤコンテンツとしたが、マルチ編成を使用するようにしてもよい。マルチ編成とは、デジタル放送割り当て帯域を分割し（１割り当て帯域ではＨＤコンテンツ１つ分が送信可能）、ＳＤ（Standard Definition）コンテンツを最大３つまで送信可能としたものである。これを利用し、内容が異なるＳＤコンテンツ（講座番組など）を受信（または録画）するようにしてもよい。そして、ワンセグ放送コンテンツまたはマルチ編成の１つのＳＤコンテンツを携帯端末１０にムーブし、ＳＤコンテンツで放送されている内容のコレクションを、携帯端末１０側で作成するようにしてもよい。
【００３３】
図６は、３つのＳＤコンテンツを放送した場合のコンテンツ管理情報の一例を示す図である。
コンテンツＩＤ：０のコンテンツが、ワンセグ部分の他、３つのＳＤコンテンツから構成されていることを示している。コンテンツ管理部３は、ワンセグ部分及びＳＤコンテンツごとに、コンテンツ管理情報を管理しており、コピー制御情報である視聴／ムーブフラグも個別に管理している。携帯端末１０へのムーブの際には、制御部５によりこのコピー制御情報が個別に変更され、図６の例では、コンテンツ２（ＳＤコンテンツ）がムーブされたことにより、視聴／ムーブフラグが“不可”になっていて、視聴及びムーブができない状態であることを示している。
【００３４】
このようにすることで、１つのＳＤコンテンツごとにムーブの制御が行える。
なお、上記の説明では、携帯端末１０へコンテンツをムーブする場合について説明したが、これに限定されず、たとえば、ＤＶＤなどの光ディスクにムーブするようにしてもよい。
【図面の簡単な説明】
【００３５】
【図１】本実施の形態のデジタル放送記録装置のブロック図である。
【図２】コンテンツ管理部が管理するコンテンツ管理情報の例である。
【図３】コンテンツの記録動作を示すフローチャートである。
【図４】ＴＳパケットの流れを示す図である。
【図５】コンテンツのムーブ動作を示すフローチャートである。
【図６】３つのＳＤコンテンツを放送した場合のコンテンツ管理情報の一例を示す図である。
【符号の説明】
【００３６】
１  デジタル放送記録装置
２  受信部
２ａ  アンテナ
３  コンテンツ管理部
４  記録部
５  制御部
６  ユーザＩ／Ｆ
７  入出力Ｉ／Ｆ
１０  携帯端末
【図１】
2009038690.tif 000003
【図２】
2009038690.tif 000004
【図３】
2009038690.tif 000005
【図４】
2009038690.tif 000006
【図５】
2009038690.tif 000007
【図６】
2009038690.tif 000008